(57)【要約】本発明は、電気的な回路装置に関し、該回路装置内で各回路構成要素（１〜５）がそれぞれ、フレキシブルな１つの導体路支持体（６）の各導体路（６０）に電気的に接続されており、フレキシブルな導体路支持体が折り畳まれた状態で、導体路支持体に接続された回路構成要素と一緒に液密のケーシング（７）の室内（７０）に配置されており、ケーシングの内室が非導電性の冷却液（８）を満たされており、冷却液がすべての回路構成要素（１〜５）と接触している。これによって、回路装置が構造的にコンパクトで、比較的小さくなっており、すべての回路構成要素が均一に良好に冷却される。使用はランプ安定器にある。
2005505144.tif 000002
【特許請求の範囲】
【請求項１】
電気的な回路装置であって、互いに電気的に接続された複数の回路構成要素（１乃至５）から成っており、
各回路構成要素（１乃至５）がそれぞれ、フレキシブルな導体路支持体（６）の導体路（６０）に電気的に接続されており、
フレキシブルな導体路支持体（６）が折り畳まれた状態で、導体路に接続された回路構成要素（１乃至５）と一緒に液密のケーシング（７）の室内（７０）に配置されており、
ケーシング（７）の内室（７０）が非導電性の冷却液（８）を満たされており、冷却液がすべての回路構成要素（１乃至５）と接触していることを特徴とする、互いに電気的に接続された複数の回路構成要素から成る電気的な回路装置。
【請求項２】
フレキシブルな導体路支持体（６）が単数若しくは複数の貫通開口（６１）を有している請求項１記載の電気的な回路装置。
【請求項３】
ケーシング（７）の内室（７０）内での冷却液（８）の循環のための装置（９）を備えており、これによって冷却液（８）が回路構成要素（１乃至５）に沿って流れるようになっている請求項１又は２記載の電気的な回路装置。
【請求項４】
冷却液（８）の循環のための装置（９）が循環ポンプ（９０）を有している請求項３記載の電気的な回路装置。
【請求項５】
循環ポンプ（９０）が冷却液（８）のための、ケーシング（７）の室内（７０）に対して平行に接続された通路（７１）内に配置されている請求項４記載の電気的な回路装置。
【請求項６】
循環ポンプ（９０）が、通路（７１）の長手方向（７１０）に向けて該通路（７１）内に配置された薄板（９１）及び、通路（７１）の長手方向（７１０）に対して垂直な方向で前記薄板（９１）をひれ状に往復運動させるための作動装置（９２）によって形成されている請求項５記載の電気的な回路装置。
【請求項７】
作動装置（９２）が圧電アクチュエータ（９２０）を有している請求項６記載の電気的な回路装置。
【請求項８】
冷却液（８）が油である請求項１から７のいずれか１項記載の電気的な回路装置。
【請求項９】
導体路支持体（６）の少なくとも１つの導体路（６０）が、ケーシング（７）の壁（７２）を液密に通された外部への電気的な接続部（７３）に電気的に接続されている請求項１から８のいずれか１項記載の電気的な回路装置。
【請求項１０】
回路装置が電気式のランプの安定器として形成してある請求項１から９のいずれか１項記載の電気的な回路装置。
【発明の詳細な説明】
【技術分野】
【０００１】
本発明は、複数の回路構成要素から成る電気的な回路装置であって、回路構成要素が互いに電気的に接続されているものに関する。
【０００２】
公知の回路装置においては、各回路構成要素はそれぞれ、ボンディングするかしないかに拘わらず、剛性の導体路基板の導体路に接続されて、該導体路基板に固定され、導体路基板は回路構成要素のための支持体を成している。
【０００３】
前記種類の回路装置は、例えば出力の小さい電力回路モジュールであり、あらゆる種類の電気式のランプのための安定器を含む。このようなモジュールは極めて小さい多くの回路構成要素及び大きな幾つかの回路構成要素を備えている。このようなモジュールの寸法は、剛性の導体路基板上に大きな回路構成要素を並べて配置することによって規定され、従ってかなり大きくなっている。モジュールの小型化は、増設基板によって若しくは嵩張る構成要素の個別組み立てによって行われる。
【０００４】
今日出力の小さい電力部品回路においては回路構成要素の出力損失並びにパッケージ密度を小さく保つことによって、ヒートシンクに空気若しくはシリコンゲルを介して回路構成要素を軽く接続するだけで冷却を達成したいので、特定の能動回路素子、例えばスイッチ半導体だけが例えば局所的なヒートシンクの組み付けによって冷却される。
【０００５】
本発明の課題は、前記形式の電気的な回路装置を構造的にコンパクトに形成して、該回路装置が比較的に小さくなっており、かつすべての構成素子が受動回路素子を含めて良好に冷却されるようにすることである。
【０００６】
前記課題が、請求項１に記載の特徴を有する電気的な回路装置によって解決される。
【０００７】
互いに電気的に接続れた複数の回路構成要素から成る本発明に基づく電気的な回路装置においては、各回路構成要素がそれぞれ、フレキシブルな１つの導体路支持体の各導体路に電気的に接続されており、フレキシブルな導体路支持体が折り畳まれた状態で、導体路に接続された回路構成要素と一緒に液密のケーシングの室内に配置されており、ケーシングの内室が非導電性の冷却液を満たされており、冷却液がすべての回路構成要素と接触している。
【０００８】
フレキシブルな導体路支持体の使用によって、該導体路支持体に接続された回路構成要素は、該平面的な導体路支持体（プレーナ基板）の適切な折り重ね若しくは折り曲げに基づき互いに詰めて配置されて、ケーシングの内室に収納して密にパッケージされるので有利であり、ケーシングの内室は密なパッケージに適合されていて、パッケージの幾何学形状に対応して複雑に形成されていてよい。これによって、本発明に基づく回路装置は構造的にコンパクトで有利である。
【０００９】
まだ折り重ねられていない平らなフレキシブルな導体路支持体は、該導体路支持体に接続すべき回路構成要素を自動的に、従って経済的に実装できて有利である。
【００１０】
液密なケーシングの使用は、ケーシングの内室内への冷却液の永続的な充填を可能にして有利であり、冷却液は密にパッケージされた各回路構成要素と接触して該各構成要素を一様に強く冷却する。
【００１１】
冷却は専ら冷却液の熱対流によって行われると簡単である。熱せられた冷却液を冷却して対流を生ぜしめるためのヒートシンクは、ケーシングの外側に組み付けられてよい。このような冷却作用のヒートシンクに、回路装置のすべての回路構成要素を、即ち能動回路素子も受動回路素子も確実に接続すると有利である。これによってすべての回路構成要素は、例えば誘導素子のように複雑に構成されたものも熱的に有利に到達される。
【００１２】
ケーシングの内室内での冷却液の運動、即ち流動を容易にするために、フレキシブルな導体路支持体は単数若しくは複数の貫通開口を有していると有利であり、これによって冷却液は導体路支持体の一方の平面側から他方の平面側へ運動できる。
【００１３】
本発明に基づく回路装置のすべての回路構成要素の特に効果的な冷却は、冷却液を熱対流によって運動させるだけではなく、ケーシングの内室内で積極的に循環させることによって達成される。
【００１４】
このような目的で、本発明の有利な実施態様の回路装置は、ケーシングの内室内での冷却液の循環のための装置を備えており、これによって冷却液は絶えず回路構成要素に沿って流されるようになっている。このような装置によって、すべての回路構成要素の温度は一様に保たれて有利である。
【００１５】
有利には冷却液の循環のための装置は循環ポンプを有しており、循環ポンプは有利には冷却液のための、ケーシングの室内に対して平行に接続された通路内に配置されており、該通路を介して、循環ポンプは冷却液をケーシングの内室の一方の側から取り出して、再びケーシングの内室の他方の側へ供給する。通路及び循環ポンプは有利にはケーシング内に配置されている。
【００１６】
循環ポンプは有利な実施態様では、通路の長手方向に向けて該通路内に配置された１つの薄板及び、通路の長手方向に対して垂直な方向で前記薄板をひれ状に往復運動させるための作動装置によって形成されている。薄板は横断面の扁平な通路を可能にして有利である。
【００１７】
作動装置は有利には圧電アクチュエータを有している。圧電アクチュエータは簡単な構造、効率並びに耐用年数の点で最適である。圧電アクチュエータは横断面の扁平な通路にとって特に適している。冷却液は有利には油（オイル）である。
【００１８】
導体路支持体の１つの導体路はケーシングの外側空間内に接続されていてよく、この場合に該導体路は、ケーシングの壁を液密に通された外部への電気的な接続部に電気的に接続されている。
【００１９】
本発明に基づく有利な実施態様の回路装置は、あらゆる種類の電気式のランプの安定器であり、即ち該回路装置の回路構成要素は、ランプ安定器の回路構成要素であり、安定器の回路構成要素はフレキシブルな導体路支持体上に安定器の回路に従って接続される。安定器の外部の接続端子は回路装置のケーシングの接続端子によって実施される。
【００２０】
本発明に基づく回路装置においては、複雑な回路幾何学形状の効率的な温度均質化とフレキシブルな導体路支持体の利点との組合せによって、出力の小さい電力モジュールの著しい小型化を有利に達成している。
【００２１】
次に本発明を図示の実施例に基づき詳細に説明する。
【００２２】
図１は、本発明に基づく回路装置の実施例のケーシングを垂直に縦断面して示し、この場合、内室の回路構成要素並びに折り畳まれた導体路支持体は破断することなく側面を示してあり、
図２は、図１の実施例のケーシングを図１の線ＩＩ−ＩＩに沿って水平に断面して示し、この場合、内室の回路構成要素と折り畳まれた導体路支持体の一部分とは破断することなく上面を示してある。
【００２３】
図面に例として示し、互いに電気的に接続された複数の回路構成要素から成る電気的な回路装置において、回路構成要素に符号１乃至５が付けてあり、フレキシブルな導体路支持体に符号６が付けてあり、液密なケーシングに符号７が付けてあり、冷却液に符号８が付けてある。実施例の回路装置は殊に白熱電球、放電ランプ及び蛍光燈などのあらゆる種類の電気式のランプの安定器のために用いられる。しかしながら本発明に基づく回路装置は、前記安定器に限定されるものではなく、互いに電気的に接続された複数の回路構成要素から成る任意の電気的な回路装置として用いられてよい。
【００２４】
ランプ安定器としての図示の回路装置においては、回路構成要素１はスイッチング半導体であり、回路構成要素２は変圧器であり、回路構成要素３は大きなコンデンサーであり、回路構成要素４はリアクターである。これらの回路構成要素１乃至４は嵩張る大きな構成要素である。
【００２５】
複数の回路構成要素５は抵抗器、小さいコンデンサー、半導体ダイオード及びトランジスターなどの小さい構成要素である。
【００２６】
各回路構成要素１乃至５は、フレキシブルな１つの導体路支持体６の各導体路６０（図２、参照）に接続されている。
【００２７】
フレキシブルな導体路支持体６は折り畳まれた状態で、導体路に接続された回路構成要素１乃至５と一緒に液密のケーシング７の室内７０に収容されている。導体路支持体６の折り畳みによって、嵩張る大きな回路構成要素１乃至４が互いに詰めて配置されており、導体路支持体６自体はもとの平らな形状に比べて小さい寸法若しくは容積になっている。これによって、回路構成要素１乃至５が密集してパッケージされ、回路装置全体の構成がコンパクトになっている。
【００２８】
有利には、ケーシング７の内室７０で導体路支持体６に電気的に接続される大きな回路構成要素１乃至４は、回路装置の安定性を高めるためにそれぞれケーシング７に、例えば接着剤７５を用いて固定されている。
【００２９】
ケーシングの内室７０は非導電性の冷却液８を満たされており、冷却液はすべての回路構成要素１乃至５と接触している。回路構成要素の冷却は、専ら冷却液８の熱対流によって行われてよい。回路構成要素１乃至５によって熱せられた冷却液８の冷却、ひいては冷却液８の対流の促進のためのヒートシンク（図示省略）をケーシング７の外側に組み付けてあってよく、このような冷却作用のヒートシンクにすべての回路構成要素１乃至５及び導体路支持体６が熱的に接続されている。
【００３０】
ケーシング７の内室７０内での冷却液８の運動を容易にするために、フレキシブルな導体路支持体６は複数の貫通開口６１を有しており、該貫通開口を介して冷却液８が導体路支持体６の一方の平面６２から他方の平面６２へ運動できる。
【００３１】
すべての回路構成要素１乃至５の特に効果的な冷却を達成するために、回路装置は図２に示してあるように、ケーシング７の内室７０内での冷却液８の循環のための装置９を有しており、これによって冷却液８が回路構成要素１乃至５に沿って運動させられる。この場合には冷却液８は熱対流によってのみ運動させられるのではなく、ケーシング７の内室７０内を強制的に循環させられる。
【００３２】
冷却液８の循環のための装置９は、冷却液８のための、ケーシング７の内室７０に対して平行に接続された通路７１内に配置されている循環ポンプ９０を有しており、循環ポンプは、殊に通路７１内に配置された薄板９１並びに該薄板９１を通路７１の長手方向に対して垂直方向にひれ状に往復運動させるための作動装置９２から成っている。
【００３３】
薄板９１は実施例では、通路７１の直線的に延びる中間区分７１１内に通路７１の長手方向に配置されている。図２に示してあるように、中間区分７１１は特にケーシング７の１つの側で通路７１の、図２の図平面に対して平行な長手方向７１０に延びて、該長手方向でも図２の図平面に対して垂直な方向でもほぼケーシング７の内室７０の全寸法、即ち長さ及び高さ全体にわたって広がっている。
【００３４】
作動装置９２は有利には圧電アクチュエータ９２０を有しており、圧電アクチュエータは同じく薄板状に形成されている。圧電アクチュエータ９２０は通路７１の直線的な中間区分７１１内にそれも、図２の図平面に対して垂直でかつ薄板９１と同じ平面内に配置されていて、薄板９１に堅く結合されており、このために図示の実施例では薄板９１の一方の端部区分９１１と圧電アクチュエータ９２０の、前記端部区分９１１に向けられた端部区分９２１とを互いに重ね合わせて互いに堅く結合してある。
【００３５】
圧電アクチュエータ９２０と薄板９１との配置は、図２に示してあるように、通路７１の長手方向で圧電アクチュエータ９２０に薄板９１を続けるように行われている。
【００３６】
圧電アクチュエータ９２０の、薄板９１と逆の側の端部区分９２２は、小さい複数の輪で概略的に示す取り付け装置９２３によって不動にケーシング７と堅く結合されている。取り付け装置９２３は、通路７１を通る冷却液８の貫流を保証するように形成されている。さらに有利には取り付け装置９２３は圧電アクチュエータ９２０の作動のための給電路を有している。
【００３７】
圧電アクチュエータ９２０の作動に際して、圧電アクチュエータ９２０の端部区分９２１は、図２の図平面内で往復に振動して、薄板９１に、図２の図平面に対して平行でかつ通路７１の長手方向に対して垂直な方向に向いた、魚の尾びれの運動のような往復運動を与えるようになっている。これによって、圧電アクチュエータ９２０と薄板９１との図示の配置では冷却液８は、圧電アクチュエータ９２０の側で通路７１と内室７０とを接続する開口７１３から、通路７１の長手方向７１０で通路７１の中間区分７１１を経て、薄板９１の側で通路７１と内室７０とを接続する開口７１４へ流れる。
【００３８】
次いで、冷却液８はケーシング７の内室７０内では通路７１の図示の長手方向７１０とは逆の方向７１０′に向けられて循環させられ、その際に連続的に導体路支持体６の貫通開口６１を経てかつ各回路構成要素１乃至５並びに導体路支持体６に沿って流れる。
【００３９】
特に通路７１は直線的な中間区分７１１のほかに、圧電アクチュエータ９２０及び薄板９１の各側で中間区分７１１に隣接するそれぞれ１つの端部区分７１２を有するように形成されており、該各端部区分は通路７１の図示の長手方向７１０に対して垂直な方向でも図２の図平面に対して垂直な方向でも、ケーシング７の内室７０の全寸法、即ち幅及び高さ全体にわたって延びている。
【００４０】
各端部区分７１２は、ケーシング７の内室７０に向けられた側に複数の開口７１４を有しており、該各開口は通路７１を内室７０に接続している。各開口７１４は例えばスリットとして形成されて、図２の図平面に対して垂直にほぼケーシング７の内室７０の全寸法にわたって延びていてよい。
【００４１】
有利には通路７１全体がケーシング７内に組み込まれていて、例えばケーシング７の内部をケーシング７の壁７２に沿って延びている。冷却液８は有利には冷却油である。
【００４２】
図１では導体路支持体６の狭い縦縁６３が全長にわたって見えており、図２では、導体路支持体６の図１の符号６４の箇所から回路構成要素１に接触する端部６５まで延びる導体路支持体区分が、途中で中断された状態で平面６２を示してある。
【００４３】
導体路支持体６の平面６２では、例えば複数、実施例では４つの導体路６０が、ケーシング７の壁７２を液密に通された外部への電気的な各接続部７３に電気的に接続されている。ケーシング７の逆の側でも、ケーシング７の壁７２を液密に通された外部への電気的な例えば２つの接続部７３が、導体路支持体６の端部６６（図１）にある各導体路（図示省略）に接続されている。
【００４４】
電気式のランプの安定器としての回路装置では、例えばケーシング７の右側の４つの接続部７３はランプへの接続のために用いられ、ケーシング７の左側の２つの接続部７３は給電網への接続のために用いられる。導体路支持体６の導体路６０と大きな回路構成要素２，３，４との間の電気的な接続部は符号６７で示してある。
【図面の簡単な説明】
【００４５】
【図１】本発明に基づく回路装置の実施例の垂直縦断面図
【図２】図１の線ＩＩ−ＩＩに沿った水平断面図
【符号の説明】
【００４６】
１〜５  回路構成要素、  ６  導体路支持体、  ７  ケーシング、  ８  冷却液、  ９  装置、  ６０  導体路、  ６１  貫通開口、  ６２  平面、  ７０  内室、  ７１  通路、  ７３  接続部、  ７５  接着剤、  ９０  循環ポンプ、  ９１  薄板
【国際公開パンフレット】
2005505144.tif 000003
2005505144.tif 000004
2005505144.tif 000005
2005505144.tif 000006
2005505144.tif 000007
2005505144.tif 000008
2005505144.tif 000009
2005505144.tif 000010
2005505144.tif 000011
2005505144.tif 000012
2005505144.tif 000013
2005505144.tif 000014
2005505144.tif 000015
2005505144.tif 000016
2005505144.tif 000017
2005505144.tif 000018
2005505144.tif 000019
【手続補正書】
【提出日】平成15年9月11日(2003.9.11)
【手続補正１】
【補正対象書類名】特許請求の範囲
【補正対象項目名】全文
【補正方法】変更
【補正の内容】
【特許請求の範囲】
【請求項１】
電気的な回路装置であって、互いに電気的に接続された複数の回路構成要素（１乃至５）から成っており、
各回路構成要素（１乃至５）がそれぞれ、フレキシブルな導体路支持体（６）の導体路（６０）に電気的に接続されており、
フレキシブルな導体路支持体（６）が折り畳まれた状態で、導体路に接続された回路構成要素（１乃至５）と一緒に液密のケーシング（７）の室内（７０）に配置されており、
ケーシング（７）の内室（７０）が非導電性の冷却液（８）を満たされており、冷却液がすべての回路構成要素（１乃至５）と接触している形式のものにおいて、ケーシング（７）の内室（７０）内での冷却液（８）の循環のための装置（９）が設けられており、これによって冷却液（８）が回路構成要素（１乃至５）に沿って流れるようになっていることを特徴とする、互いに電気的に接続された複数の回路構成要素から成る電気的な回路装置。
【請求項２】
フレキシブルな導体路支持体（６）が単数若しくは複数の貫通開口（６１）を有している請求項１記載の電気的な回路装置。
【請求項３】
冷却液（８）の循環のための装置（９）が循環ポンプ（９０）を有している請求項１又は２記載の電気的な回路装置。
【請求項４】
循環ポンプ（９０）が冷却液（８）のための、ケーシング（７）の室内（７０）に対して平行に接続された通路（７１）内に配置されている請求項３記載の電気的な回路装置。
【請求項５】
循環ポンプ（９０）が、通路（７１）の長手方向（７１０）に向けて該通路（７１）内に配置された薄板（９１）及び、通路（７１）の長手方向（７１０）に対して垂直な方向で前記薄板（９１）をひれ状に往復運動させるための作動装置（９２）によって形成されている請求項４記載の電気的な回路装置。
【請求項６】
作動装置（９２）が圧電アクチュエータ（９２０）を有している請求項５記載の電気的な回路装置。
【請求項７】
冷却液（８）が油である請求項１から６のいずれか１項記載の電気的な回路装置。
【請求項８】
導体路支持体（６）の少なくとも１つの導体路（６０）が、ケーシング（７）の壁（７２）を液密に通された外部への電気的な接続部（７３）に電気的に接続されている請求項１から７のいずれか１項記載の電気的な回路装置。
【請求項９】
回路装置が電気式のランプの安定器として形成してある請求項１から８のいずれか１項記載の電気的な回路装置。
【国際調査報告】
2005505144.tif 000020
2005505144.tif 000021
2005505144.tif 000022
2005505144.tif 000023